(57)【要約】【課題】家族が集まり易いリビングダイニングにキッチンを近接配置しながら、そのリビングダイニングやキッチンから近い場所に一つの独立した雰囲気のある空間が得られるようにして、リビングダイニング廻りで家族のコミュニケーションを図り、子供の勉強空間やパソコン作業空間などとして利用できる空間を得る。【解決手段】キッチン９をリビングダイニング８に隣接して、キッチン開放面１２を介してリビングダイニング８に空間を連通させ、リビングダイニング８とキッチン９との少なくとも一方から作業間開放面１５の部分を介して簡易作業間１３の内部が目視可能となる配置とした。【選択図】図１
0003140203.tif 000002
【実用新案登録請求の範囲】
【請求項１】
一戸の住宅空間の同一フロアに、リビングダイニングと、調理作業台に沿ったキッチン開放面を有しているキッチンと、作業間開放面と机板とを有している簡易作業間とを備え、
前記キッチンは前記リビングダイニングに隣接して、前記キッチン開放面を介してリビングダイニングに空間が連通しているとともに、前記簡易作業間は人の軽作業が可能な空間であって、前記リビングダイニングとキッチンとの少なくとも一方から前記作業間開放面の部分を介して作業間空間内が目視可能に設けられていることを特徴とする住宅。
【請求項２】
一戸の住宅空間の同一フロアに、リビングダイニングと、調理作業台に沿ったキッチン開放面を有しているキッチンと、作業間開放面と机板とを有している簡易作業間とを備え、
前記簡易作業間は人の軽作業が可能な空間であって、この簡易作業間の一面側にキッチンが隣接されているとともに、この簡易作業間の前記キッチンが隣接する面に連続した面にリビングダイニングが隣接されて、前記キッチンと前記リビングダイニングとが近接配置されていて、前記リビングダイニングとキッチンとの少なくとも一方から前記作業間開放面の部分を介して作業間空間内が目視可能に設けられていることを特徴とする住宅。
【請求項３】
上記簡易作業間の作業間開放面は、不透視の間仕切り材により閉鎖可能に設けられている請求項１または２に記載の住宅。
【考案の詳細な説明】
【技術分野】
【０００１】
本考案は幼児などの低年齢の子供を有する核家族に適した住宅に関するものである。
【背景技術】
【０００２】
従来、子供のいる家族向けのアパートやマンションにあっては家族それぞれの個としてプライバシーを尊重して各人用の個空間が得られるようにした間取りの住宅が提供されてきたが、家族内でも互いの生活習慣に無関心になり易いことに反省がなされてきて、近年においては、住居内で生活する上で顔を会わせ易い空間を作り、家族内でのコミュニケーションが多く得られる工夫が提案されいる。例えば、特許文献１に示されているように、玄関から住宅内に入るときにまず居間を通るようにし、その居間を通ってから各人の個のスペースに行くことができるようにしたものが提案されている。
【特許文献１】特開平１１−０４４１０７号公報
【考案の開示】
【考案が解決しようとする課題】
【０００３】
近年においては更なる要望として以下のものがある。その一つとして、キッチンでの食事準備作業に際して主婦が一人作業となって、その準備作業時に家族から隔たることによる疎外感が生じ易いが、その疎外感を解消解消し、家族とのコミュニケーションをより良く図る上で、家族が集まり易いリビングに対してキッチンを近接せたり、そのリビングに対面するレイアウトが望まれるようになってきており、解決策としてリビングとダイニングとを一つの空間として構成するリビングダイニングをキッチンに近接させたり、対面させたレイアウトが望まれる。
また、中学生位までの就学年の子供を有する世帯においては、子供が自室ではなく家族が集まるリビングダイニングで勉強をする割合も高く、子供以外の家族が学習の妨げにならないように振る舞う必要が生じる場合もある。そのため、家族が集まる空間に連続した空間でありながら、或る程度の独立した雰囲気が得られる場所を設けて欲しいとの要望もでるようになってきている。
さらには、家庭内で子供がパソコンを利用する場合に親の目の届く範囲でパソコン利用をさせたいために、パソコン自体をリビングダイニングに置くケースが多くなってきているが、パソコンの設置場所やその作業空間がリビングダイニングの一部分を占めているのが現状である。そのため、このようなパソコンの設置場所やパソコン作業場所についても、リビングダイニングに近接した場所、またリビングダイニングやキッチンから目の届き易い場所に設けるように望まれるようになってきている。
【０００４】
そこで本考案は上記事情に鑑み、家族が集まり易いリビングダイニングにキッチンを近接配置しながら、そのリビングダイニングやキッチンから近い場所に一つの独立した雰囲気のある空間が得られるようにすることを課題として、リビングダイニング廻りで家族のコミュニケーションを図り、子供の勉強空間やパソコン作業空間などとして利用できる空間を得ることを目的とするものである。
【課題を解決するための手段】
【０００５】
（請求項１の考案）
本考案は上記課題を考慮してなされたもので、請求項１の考案は、一戸の住宅空間の同一フロアに、リビングダイニングと、調理作業台に沿ったキッチン開放面を有しているキッチンと、作業間開放面と机板とを有している簡易作業間とを備え、前記キッチンは前記リビングダイニングに隣接して、前記キッチン開放面を介してリビングダイニングに空間が連通しているとともに、前記簡易作業間は人の軽作業が可能な空間であって、前記リビングダイニングとキッチンとの少なくとも一方から前記作業間開放面の部分を介して作業間空間内が目視可能に設けられていることを特徴とする住宅であり、この住宅を提供して上記課題を解消するものである。
【０００６】
（請求項２の考案）
また、請求項２の考案は、一戸の住宅空間の同一フロアに、リビングダイニングと、調理作業台に沿ったキッチン開放面を有しているキッチンと、作業間開放面と机板とを有している簡易作業間とを備え、前記簡易作業間は人の軽作業が可能な空間であって、この簡易作業間の一面側にキッチンが隣接されているとともに、この簡易作業間の前記キッチンが隣接する面に連続した面にリビングダイニングが隣接されて、前記キッチンと前記リビングダイニングとが近接配置されていて、前記リビングダイニングとキッチンとの少なくとも一方から前記作業間開放面の部分を介して作業間空間内が目視可能に設けられていることを特徴とする住宅であり、この住宅を提供して上記課題を解消するものである。
【０００７】
（請求項３の考案）
そして、請求項３の考案は、上記作業空間部の開放面は、不透視の間仕切り材により閉鎖可能に設けられている住宅であり、この住宅を提供して上記課題を解消するものである。
【考案の効果】
【０００８】
（請求項１の考案の効果）
請求項１の考案により、キッチンがリビングダイニングと対面した配置となってリビングダイニングにいる人とキッチンにいる人とのコミュニケーションが図れるとともに、キッチンあるいはリビングダイニングから簡易作業間の内部に目が届き易くなる。そして、簡易作業間はキッチンあるいはリビングダイニングから或る程度の距離感を得ることのできる場所となるため、キッチンやリビングダイニングから独立した雰囲気のある空間として利用し易くなる。
【０００９】
（請求項２の考案の効果）
請求項２の考案により、キッチンがとリビングダイニングとが互いに斜め側方に隣り合う配置となり、請求項１の考案と同様にリビングダイニングにいる人とキッチンにいる人とのコミュニケーションが図れる。また、簡易作業間に対してはキッチンあるいはリビングダイニングからその内部に目が届き易くなる。そして、簡易作業間はキッチンあるいはリビングダイニングから或る程度の距離感を得ることのできる場所となるため、キッチンやリビングダイニングから独立した雰囲気のある空間として利用し易くなる。
【００１０】
（請求項３の考案の効果）
請求項３の考案により、簡易作業間の開放面を閉鎖することによりその簡易作業間を物入れなととして利用することができる。
【考案を実施するための最良の形態】
【００１１】
（第一の例）
つぎに本考案を図１から図７に示す実施の形態に基づいて詳細に説明する。
図中１は住宅で、該住宅１は図１に示すようにアパートなどの鉄筋コンクリート造による柱と壁とからなる躯体要素により囲んで一戸の住宅空間Ａを形成したものである。勿論、隣戸の住宅との間の躯体要素である壁については無開口であるとともに、屋外側の壁についてはベランダに通じる窓を有し、通路共用部分に臨む面となる壁については玄関が配置されている。
この住宅１の住宅空間Ａには一般的な住宅空間の構成要素が配置されていて、この構成要素として、例えば玄関室２、廊下３、洋室４、浴室５、洗面脱衣室６、トイレ室７、リビングダイニング８、キッチン９を有していて、リビングダイニング８とキッチン９とが隣接されたレイアウトとしている。
【００１２】
（キッチン）
上記キッチン９には、隣戸壁体に直交する方向を長手としてシンク台やコンロ台などを並べ設けた横長の調理作業台１０があり、この調理作業台１０に沿ってキッチン作業領域１１が形成されている。そして、このキッチン９にあっては、調理作業台１０を間にして前記キッチン作業領域１１とは反対側となる前方がキッチン開放面１２とされていて、このキッチン開放面１２を介して上記リビングダイニング８に空間が連通するように設けられている。即ち、キッチン９はリビングダイニング８に対面配置されているものであって、キッチン９に立つ人はリビングダイニング８に面しながら調理作業を行なえるように設けられている。
また、キッチン作業台１０に沿った一方の側方はこのキッチン９の隣りに並設された廊下３に連続する出入り部分として形成され、廊下３側からキッチン９に出入り自由としている。
【００１３】
（簡易作業間）
上記キッチン９の廊下３側となる側方には、この廊下３を間にして簡易作業間１３が配置されている。前記廊下３にあっては、簡易作業間１３とキッチン９との間において無間仕切りとなっている場所であり、よって、キッチン９からは簡易作業間１３を目視できる位置関係にして配置されいる。
簡易作業間１３は、図示するように、三方を天井に達する壁面１４とし、残りの一方に床から天井に達する作業間開放面１５としていて、軽作業ができる広さの空間からなるものである。前記作業間開放面１５はキッチン９と相対する方向の面であり、廊下３側からの出入りを自由になるように、廊下３との床面高さを揃えるとともに、前述したように天井まで達する開放された面にしてキッチン９側に向けては開放感を生じさせるようにしている。
【００１４】
さらに簡易作業間１３における上記作業間開放面１５は、キッチン９と隣接しているリビングダイニング８とも廊下３の空間を介して面する位置にある。そのため、この簡易作業間１３の内部にあっては作業間開放面１５の部分を介してリビングダイニング８とキッチン９との両方から目視できるものとなっている。そして、この簡易作業間１３の作業間開放面１５とは反対側の壁面１４に机板１６が配置されていて、この机板１６に椅子などを利用して対座状態で向うことができる。よって、机板１６上で各種の軽作業が行なえる。例えば、幼児にあっては用具を用いた遊びや絵本、積木などを用いた学習であり、就学児童であれば勉強やパソコンを利用した作業、大人である場合には読書などを行なうことができる。
この簡易作業間１３の内部空間は上記リビングダイニング８の空間やキッチン９の空間の一部分となっているものではなく、或る程度の距離感を有することができる場所となる。そのため、この簡易作業間１３に入って机板１６に対座して任意の軽作業を行なっているときには、その空間を占有してプライバシーが或る程度確保されている感覚を得ることが簡単になる。勿論、リビングダイニング８やキッチン９に居る人とのコミュニケーションも取り易く、さらには、リビングダイニング８やキッチン９に居る人側からは、簡易作業間１３の作業間開放面１５が無間仕切りの廊下３を間にして見えるため、簡易作業間１３で子供が机台側に向いて学習しているような場合でも、子供の気を散らせることなく子供の作業状況などを見守ることができる。
【００１５】
（第二の例）
上記第一の例においてはキッチン９の一方の側方に無間仕切りの廊下３を間にして簡易作業間１３が配置されているが、本考案ではリビングダイニング８から、そしてこのリビングダイニング８にキッチン開放面１２を介して空間を連通させているキッチン９から簡易作業間１３の作業間開放面１５の部分が目視できる配置であればよいものである。図２は第二の例を示していて、簡易作業間１３自体がリビングダイニング８のキッチン側領域部分の側方に配置されていて、作業間開放面１５全体がリビングダイニング８との境界部分となり、リビングダイニング８からは簡単にこの簡易作業間１３の内部が目視できるようにしている。また、リビングダイニング８に対面するキッチン９からも簡易作業間１３が近接した位置にあってキッチン開放面１２、作業間開放面１５を介してその内部を目視できるようにした配置としているものである。
【００１６】
（第三の例）
図３は第三の例を示している。上記第一、第二の例においてはキッチン９が住宅空間の奥行方向でのほぼ中央に配置されているが、この第三の例にあっては、リビングダイニング８とキッチン９とが屋外に臨むベランダ側に配置されていて、上述した例と同じようにキッチン９はリビングダイニング８に対して対面する形態である。そして、リビングダイニング８に対して境界として作業間開放面１５を位置させた簡易作業間１３がそのリビングダイニング８に隣接された配置とされ、キッチン９からも作業間開放面１５の部分を目視できるようにした配置である。
この例での簡易作業間１３にあっては連続する二方の壁面１４に沿うようにして机板１６が組み付けられている。
【００１７】
（第四の例）
図４は第四の例を示している。第四の例においては上記第三の例と同じようにリビングダイニング８と簡易作業間１３とが隣接しているが、その境界部分の構成が相違している。即ち、この第四の例においてリビングダイニング８との境界の一部分において床から一般カウンター高さまで立ち上げられたカウンタ壁１７があり、その上方を作業間開放面１５としているものである。この例においてもリビングダイニング８からその作業間開放面１５の部分を介して簡易作業間１３の内部を目視できるとともに、リビングダイニング８に対面しているキッチン９からもそのキッチン開放面１２から作業間開放面１５の部分を通して内部の空間を目視できるようにしている。
【００１８】
（第五の例）
図５は第五の例を示している。この第五の例では簡易作業間１３を廊下３を介してキッチン９の側方に配置したものであり、キッチン９から廊下３に寄った位置において側方を見ることで簡易作業間１３の作業間開放面１５の部分を通して内部の空間を目視できる。勿論、リビングダイニング８にあっては図示のように境界の部分として作業間開放面１５が位置しており、リビングダイニング８からも内部の空間を目視できる。この第五の例では第四の例と同じようにカウンタ壁１７の上方を作業間開放面１５とし、その作業間開放面１５に沿った位置に第四の例と同じように机板１６が組み付けられている。
【００１９】
（第六の例）
図６は第六の例を示している。この第六の例では簡易作業間１３はリビングダイニング８との境の位置に通常の開放部分である作業間開放面１５が位置しているとともに、廊下３を介して並ぶキッチン９側の境界位置にあってはカウンター壁１７を備えてその上方も作業間開放面１５としており、この作業間開放面１５を通してキッチン９から簡易作業間１３の内部を目視できるようにしているものである。
【００２０】
（第七の例）
図７は第七の例を示している。この第七の例ではリビングダイニング８とキッチン９とは対面の形態とはなっていないが、図示のように簡易作業間１３の一面側に前記キッチン９が隣接されているとともに、簡易作業間１３において前記キッチン９が隣接する面に連続した面を境としてリビングダイニング８が隣接されていて、リビングダイニング８とキッチン９とが近接配置されている。即ち、リビングダイニング８とキッチン９とが互いに斜め側方に面する位置関係にして配置されている。
そして、リビングダイニング８と簡易作業間１３とは屋外に臨む窓を有した躯体面に沿って配置されいて、簡易作業間１３の作業間開放面１５をリビングダイニング８との境の位置に設定している。さらに作業間開放面１５にあってはカウンタ壁１７の上部開放部分もその一部として構成されていて、そのカウンタ壁１７に沿うようにして机板１６が組み付けられている。
なお、この例においてもキッチン９側にキッチン開放面を形成して、簡易作業間１３の空間を目視できるようにすることも可能である。
【００２１】
上述した各実施の例において作業間開放面１５の近接位置に不透視の間仕切り材を移動可能にして配置し、この間仕切り材を必要時に移動させて前記作業間開放面１５を閉鎖するようにすることも可能である。このように作業間開放面１５を不透視の間仕切り材で閉鎖すれば、簡易作業間１３の内部空間を閉じられた空間として物入れなどとして利用できるようになる。
【図面の簡単な説明】
【００２２】
【図１】本考案に係る住宅の第一の例を示す説明図である。
【図２】第二の例を示す説明図である。
【図３】第三の例を示す説明図である
【図４】第四の例を示す説明図である。
【図５】第五の例を示す説明図である。
【図６】第六の例を示す説明図である。
【図７】第七の例を示す説明図である
【符号の説明】
【００２３】
１…住宅
３…廊下
８…リビングダイニング
９…キッチン
１２…キッチン開放面
１３…簡易作業間
１５…作業間開放面
１６…机板
１７…カウンタ壁
Ａ…住宅空間
【図１】
0003140203.tif 000003
【図２】
0003140203.tif 000004
【図３】
0003140203.tif 000005
【図４】
0003140203.tif 000006
【図５】
0003140203.tif 000007
【図６】
0003140203.tif 000008
【図７】
0003140203.tif 000009